(57)【要約】【課題】安価で使いやすい包装機上でクーポン券を折りたたむ方法およびユニットを提供することである。【解決手段】包装機上でクーポン券（２）を折りたたむ方法およびユニットであり、それにより、クーポン券（２）は、２つの逆回転折りたたみローラー（６）および２つの折りたたみローラー（６）にわたり延びているクーポン券（２）の供給経路の一端に位置している少なくとも１つの位置づけ部材（７）を持つ少なくとも１つの折りたたみ台（４）に供給され、折りたたみ台（４）の動作速度は、周期的に求められ、また折りたたみ台（４）の動作速度の関数として、クーポン券（２）の供給経路に沿っての位置づけ部材（７）の位置は、折りたたみ台（４）の通常動作中に調節されることを特徴とする。【選択図】図１
2006008253.tif 000002
【特許請求の範囲】
【請求項１】
包装機上でクーポン券を折りたたむ方法であって、
２つの逆回転折りたたみローラー（６）および２つの折りたたみローラー（６）にわたり延びているクーポン券（２）の供給経路の一端に位置している少なくとも１つの位置づけ部材（７）からなる少なくとも１つの折りたたみ台（４）に対して、クーポン券（２）を供給すること
を含み、
折りたたみ台（４）の通常の動作中は、クーポン券の供給経路に沿って、位置づけ部材（７）の位置を調節することを特徴とする方法。
【請求項２】
前記折りたたみ台（４）の動作速度が、循環的に求められ、またクーポン券（２）の包装経路に沿った位置づけ部材（７）の位置が、折りたたみ台（４）の動作速度の関数として、調節されることを特徴とする請求項１記載方法。
【請求項３】
前記調節台が求められ、かつ折りたたみ台（４）の各動作速度値に対して、クーポン券（２）の包装経路に沿って、位置づけ部材（７）の対応する位置付け値を提供することを特徴とする請求項２記載の方法。
【請求項４】
前記折りたたみ台（４）が、所定の折りたたみライン（３）に沿って、各クーポン券（２）を折りたたみ；
折りたたみライン（３）の位置が、クーポン券（２）に対しておよび折りたたみ台（４）からの下流に対して定められ、かつクーポン券（２）の供給経路に沿った位置づけ部材（７）が、折りたたみライン（３）の位置の関数として調節されることを特徴とする請求項１、２または３記載の方法。
【請求項５】
前記折りたたみライン（３）の位置が、折りたたまれたクーポン券（２）を分析することにより、間接的に求められることを特徴とする請求項４記載の方法。
【請求項６】
前記折りたたまれたクーポン券（２）が、光学的に分析されることを特徴とする請求項５記載の方法。
【請求項７】
前記折りたたみライン（３）の位置が、折りたたまれたクーポン券（２）のサイズの関数として間接的に求められることを特徴とする請求項５または６記載の方法。
【請求項８】
前記折りたたみライン（３）の位置が、折りたたまれたクーポン券（２）の自由部分のオーバーラップの程度の関数として間接的に求められることを特徴とする請求項５または６記載の方法。
【請求項９】
前記クーポン券（２）が、多くの後続する折りたたみ台に供給され、その台の各々が、２つの逆回転折りたたみローラー（６）および２つの折りたたみローラー（６）にわたり延びているクーポン券（２）の供給経路の一端に位置している位置づけ部材（７）からなり；クーポン券（２）の各供給経路に沿った各位置づけ部材（７）の位置が、折りたたみ台の通常の動作中に調節されることを特徴とする請求項１、２、３、４、５、６、７または８記載の方法。
【請求項１０】
前記クーポン券（２）の各供給経路に沿った各位置づけ部材（７）の位置が、他の位置づけ部材（７）の位置から独立して調節されることを特徴とする請求項９記載の方法。
【請求項１１】
前記すべての位置づけ部材（７）の位置が、共に調節されることを特徴とする請求項９記載の方法。
【請求項１２】
請求項、２、３、４、５、６、７、８、９、１０または１１記載の方法が、
リールから平坦なストリップを巻き戻す工程と；
ストリップから巧くクーポン券（２）を切り取るために、ストリップの移動方向を横切っているカットラインに沿って、平坦なストリップが、切り取られるカット台に、平坦なストリップを供給する工程と；
折りたたみ台（４）にクーポン券（２）を供給する工程と；
包装搬送器上およびシート内部の包装材料上のシートに、折りたたまれたクーポン券（２）を供給するために、グリップヘッドの手段により、各折りたたまれたクーポン券（２）を噛み合わせる工程と
を含んでなる方法。
【請求項１３】
平坦なストリップが、実質的に一定速度で、連続してリールから巻き戻され、かつカット台への工程中に供給され；ループが、カット台からストリップ上流中に形成され、ループの長さは、カット台にあるストリップの速度を周期的にゼロにまで、常に変化され、カット台へのストリップの工程供給を可能にすることを特徴とする請求項１２記載の方法。
【請求項１４】
包装機上でクーポン券を折りたたむユニットであり、当該ユニット（１）が、２つの逆回転折りたたみローラー（６）を備えた折りたたみ台（４）と、２つの折りたたみローラー（６）とにわたって延びているクーポン券（２）の供給経路の一端に位置している少なくとも１つの位置づけ部材（７）からなり、
当該ユニット（１）が、折りたたみ台（４）の通常の動作中は、クーポン券（２）の供給経路に沿って、位置づけ部材（７）の位置を調節するための調節部材（１１）を備えてなることを特徴とするユニット。
【請求項１５】
センサー手段が、折りたたみ台（４）の動作速度を周期的に求めるために設けられ、かつ調節手段（１１）に接続され；調節手段（１１）は、折りたたみ台（４）の動作速度の関数として、クーポン券（２）の供給経路に沿って、位置づけ部材（７）の位置を調節することを特徴とする請求項１４記載のユニット。
【請求項１６】
メモリが、調節表を納めるために設けられ、それは、折りたたみ台（４）の各動作速度値に対して、クーポン券（２）の供給経路に沿って、調節手段（１１）に位置づけ部材（７）の対応する位置値を供給することを特徴とする請求項１５記載のユニット。
【請求項１７】
前記折りたたみ台（４）が、各クーポン券（２）を所定の折りたたみライン（３）に沿って折りたたまれ、
前記検出手段が、各クーポン券（２）の折りたたみライン（３）の位置を求めるために、折りたたみ台（４）から下流に設けられかつ調節手段（１１）に接続され、かつ
調節手段（１１）が、折りたたみライン（３）の位置の関数として、クーポン券（２）の供給経路に沿って位置づけ部材（７）の位置を調節することを特徴とする請求項１４、１５または１６記載のユニット。
【請求項１８】
前記検出手段が、折りたたまれたクーポン券（２）を分析することにより、間接的に折りたたみライン（３）の位置を求めることを特徴とする請求項１７記載のユニット。
【請求項１９】
前記検出手段が、光学的であることを特徴とする請求項１８記載のユニット。
【請求項２０】
前記検出手段は、折りたたまれたクーポン券（２）のサイズの関数として、折りたたみライン（３）の位置を求めることを特徴とする請求項１８または１９記載のユニット。
【請求項２１】
前記検出手段が、折りたたまれたクーポン券（２）の自由部分のオーバーラップの程度の関数として、間接的に折りたたみライン（３）の位置を求めることを特徴とする請求項１８または１９記載のユニット。
【請求項２２】
複数の後続する折りたたみ台が設けられ、当該たたみ台が、各々２つの逆回転折りたたみローラー（６）および２つの折りたたみローラー（６）にわたり延びているクーポン券（２）の供給経路の一端に位置している位置づけ部材（７）からなり；調節手段（１１）が、クーポン券（２）の各供給経路に沿った各位置づけ部材（７）の位置を、折りたたみ台の通常の動作中に、調節することを特徴とする請求項１４、１５、１６、１７、１８、１９、２０または２１記載のユニット。
【請求項２３】
前記調節手段（１１）が、他の位置づけ部材（７）の位置とは独立に、クーポン券（２）の各供給経路に沿って、各位置づけ部材（７）の位置を調節することを特徴とする請求項２２記載のユニット。
【請求項２４】
前記調節手段（１１）は、すべての位置づけ部材（７）の位置を、共に調節することを特徴とする請求項２２記載のユニット。
【請求項２５】
リールから平坦なストリップを巻き戻すための巻き戻し装置と、
折りたたみ台（４）から上流に置かれかつストリップから巧くクーポン券（２）を切り取るために、ストリップの移動方向を横切っているカットラインに沿って、平坦なストリップが、切り取られるカット台と、
折りたたみ台（４）から下流に置かれ、かつ包装搬送器上のシートへ、およびシート内部の包装材料上へ、折りたたまれたクーポン券（２）を供給する少なくとも１つのグリップヘッドと
からなることを特徴とする請求項１４、１５、１６、１７、１８、１９、２０、２１、２２、２３、または２４記載のユニット。
【請求項２６】
第１駆動手段が、リールから平坦なストリップを、実質的に一定の速度で連続的に巻き戻すために設けられ、また第２駆動手段は、ストリップをカット台工程に供給するために設けられ、補償装置が、カット台から上流で可変長さのループを形成させるために、第１駆動手段と第２駆動手段のあいだに押し付けられ、その結果カット台のストリップを周期的にゼロにして、カット台へのストリップの工程供給を可能にすることを特徴とする請求項２５記載のユニット。
【請求項２７】
前記調節手段（１１）が、位置づけ部材（７）に対して片末端に強固に接続され、かつユニット（１）のフレーム（５）に固定されたリニアモーターの可動部分に対して、反対側の末端で強固に接続されている支持部材からなることを特徴とする請求項１４、１５、１６、１７、１８、１９、２０、２１、２２、２３、２４、２５または２６記載のユニット。
【請求項２８】
前記支持部材は、ダブルＬ型であることを特徴とする請求項２７記載のユニット。
【請求項２９】
前記位置づけ部材（７）が、伸ばされた形状をしており、支持部材に強固に接続された第１末端とユニット（１）のフレーム（５）中の各穴中に、スライドして挿入される第１末端と反対側の第２末端とを持つことを特徴とする請求項２７または２８記載のユニット。
【発明の詳細な説明】
【技術分野】
【０００１】
本発明は、包装機上でのクーポン券折り畳み方法およびユニットに関する。
【背景技術】
【０００２】
本発明は、タバコ包装機に対して、特に利点を持って使用され、それに対して、つぎの記述を純粋に例により参照する。
【０００３】
タバコのパケットをクーポン券と組み合わせることは、かなり普通の慣習である。通常パケット内には当該クーポン券がタバコの群とともに納められている。クーポン券は、タバコのパケットと同じ大きさか、あるいはそれより大きくても良く、また後者の場合には、パケット内部に挿入するために、それは、折りたたまれる。
【０００４】
折りたたまれたクーポン券を用いてタバコのパケットを製造する公知の包装機は、多数のシートを供給するための搬送器からなり、その各々は、包装経路に沿って各タバコの群を含んでいる。この包装経路は、供給台を経由して延びており、そこでは、多数のグリップヘッドからなる車輪が、貯蔵所の内側に貯蔵されている堆積の底から折りたたまれたクーポン券を、１つずつ引き抜き、また包装搬送器上の各シートに対して、対応するタバコの群とともに、各折りたたまれたクーポン券を供給する。
【０００５】
種々のテストにより、上記のタイプの公知の包装機は、相対的に低速（１秒間に４から５個のタバコのパケット）では、満足的に機能しているが、折りたたまれたクーポン券の堆積の底からから、折りたたまれたクーポン券を正しく除去するためには、かなりの長時間を必要とするために、高速（１秒間に７から８個のタバコのパケット）では、不充分にしか機能していない。
【０００６】
したがって、クーポン券供給台では、あらかじめ印刷されたクーポン券の平坦なフリップは、リールから巻き戻され、また切断装置に個々のクーポン券に裁断され；各クーポン券は、折りたたまれる折りたたみユニットに供給され；転送装置は、折りたたみユニットから各折りたたまれたクーポン券を受け取り、また対応するタバコの群とともに、折りたたまれたクーポン券を、包装搬送器上のシートに対して折りたたまれたクーポン券を供給する包装機が、これまで提案されてきた。
【０００７】
オンラインクーポン券折りたたみ特性を持ったタバコ包装機の１つの例は、特許文献１に記載されている。より具体的には、この包装機は、連続した折りたたみ台と、クーポン券中に１つの折りたたみを形成するための各々と、２つの逆回転ローラーと位置づけ部材とからなるローラー折りたたみユニット、あるいは言い換えると、いわゆる「バックルフォルダー」からなっている。実際の使用においては、クーポン券は、位置づけ部材に対して、その１端を持たれかけて、２つの逆回転ローラーに持たれかけるように、折りたたみ台から受け取られる。この点で、クーポン券の中間部分は、逆回転ローラーと徐々にかみ合い、その結果、逆回転ローラーのあいだに供給され、折りたたまれる。
【０００８】
「バックルフォルダー」ローラー折りたたみユニットの他の例は、特許文献２に記載されている。
【０００９】
【特許文献１】国際特許出願第２００４００３７２６号パンフレット
【特許文献２】欧州特許出願公開第０５２２４０８号公報
【発明の開示】
【発明が解決しようとする課題】
【００１０】
「バックルフォルダー」ローラー折りたたみユニットは、それらが、コンパクトで、安価で生産しやすいという多くの利点を持っている。一方、良品質の折りたたみは、操作速度の小さな範囲に制限される傾向にある。すなわち、「バックルフォルダー」ローラー折りたたみユニットは、実質的に一定の動作速度においてのみ、巧く作動するが、その制限が、クリーニング、調整、メンテナンスおよびフォーマットの変更と同様に、接続されている自動（タバコの製造、セロファン包装およびカートン挿入）機の操作条件に適合する速度での種々の変化を受けるタバコの包装機に対して深刻な問題を引き起こしている。
【課題を解決するための手段】
【００１１】
本発明の目的は、前記の欠点を除去するために意図されかつ特に、安価で使いやすい包装機上でクーポン券を折りたたむ方法およびユニットを提供することである。
【００１２】
本発明の第１の態様によれば、包装機上でクーポン券を折りたたむ方法であって、
２つの逆回転折りたたみローラー（６）および２つの折りたたみローラー（６）にわたり延びているクーポン券（２）の供給経路の一端に位置している少なくとも１つの位置づけ部材（７）からなる少なくとも１つの折りたたみ台（４）に対して、クーポン券（２）を供給すること
を含み、
折りたたみ台（４）の通常の動作中は、クーポン券の供給経路に沿って、位置づけ部材（７）の位置を調節することを特徴としている。
【００１３】
本発明の第２の態様によれば、包装機上でクーポン券を折りたたむユニットであり、当該ユニット（１）が、２つの逆回転折りたたみローラー（６）を備えた折りたたみ台（４）と、２つの折りたたみローラー（６）とにわたって延びているクーポン券（２）の供給経路の一端に位置している少なくとも１つの位置づけ部材（７）からなり、
当該ユニット（１）が、折りたたみ台（４）の通常の動作中は、クーポン券（２）の供給経路に沿って、位置づけ部材（７）の位置を調節するための調節部材（１１）を備えてなることを特徴としている。
【発明の効果】
【００１４】
本発明によれば、安価で使いやすい包装機上でクーポン券を折りたたむ方法およびユニットが提供される。
【００１５】
本発明の非制限的実施の態様は、添付する図面を参照して記述されている。
【発明を実施するための最良の形態】
【００１６】
図１中の数字の１は、包装機（図示していない）上でのクーポン券（２）（図４および図５）の折りたたみ用ユニットを、全体として示している。より具体的には、各クーポン券は、延びた長方形の形状をしており、かつ折りたたみユニット１は、３本の折りたたみライン３に沿ってクーポン券２を、折りたたみ、長方形の、ほぼ正方形の形状の折りたたまれたクーポン券２を形成する。
【００１７】
図３に示すように、折りたたみユニット１は、箱フレーム５に嵌め合わされ、かつ３本の折りたたみライン３の周りで、各クーポン券２を巧く折りたたむために、連続して配置されている３つの折りたたみ台４からなっている。折りたたみ台４の数および配置は、図４および５中の例により示しているもの以外に、各クーポン券を折りたたむために、明らかに変化しても良い。
【００１８】
各折りたたみ台４は、２つの逆回転折りたたみローラー６；および２つの折りたたみローラー６にわたり延びているクーポン券２の供給経路の一端に位置している２つの位置づけ部材７からなる。折りたたみユニット１の入力にある折りたたみ台４は、各折りたたみローラー６と共同作業をする引き込みローラー８に嵌め合わされており；また引き込み部材９は、各１対の位置づけ部材７に設けられ、ロート状入り口を持ち、かつクーポン券２を位置づけ部材７に正確に供給することを提供している。
【００１９】
図２に示すように、折りたたみローラー６および引き込みローラー８は、同一角速度でかつ電気モーター（図示していない）で加勢された１本のベルト１０により、交互回転方向に回転される。
【００２０】
実際の使用においては、平坦なクーポン券２は、公知の搬送機（図示していない）により、折りたたみユニット１の入力に供給され、その結果、それは、引き込みローラー８と対応する折りたたみローラー６のあいだに噛み合わされ、さらに引き込みローラー８と対応する折りたたみローラー６の引き作用は、クーポン券２の片末端が、第１折りたたみ台４にある位置づけ部材７に対してもたれかかるようになるまで、第１折りたたみ台４にある２つの折りたたみローラー６上に、平坦なクーポン券２を供給する。この点で、クーポン券２の中間部は、第１折りたたみ台４にある折りたたみローラー６により、徐々に噛み合わされ、クーポン券２は、折りたたみローラー６のあいだに供給され、３本の折りたたみライン３の周りに、折りたたまれ、その後、第２折りたたみ台４にある２つの折りたたみローラー６上に供給される。上述したように、折りたたみプロセスは、クーポン券２の折りたたみを完了するために、第２および第３折りたたみ台４上で反復される。
【００２１】
そのために、クーポン券２に沿った各折りたたみライン３の位置は、対応する折りたたみローラー６に関して、対応する位置づけ部材７の位置により、すなわち、クーポン券２の供給経路に沿った対応する位置づけ部材７の位置により、求められる。
【００２２】
折りたたみユニット１も、折りたたみユニット１の通常の動作中にクーポン券２の供給経路に沿った各１対の位置づけ部材７の位置を調節するための調節装置１１を含んでいる。図１および図２に示すように、各１対の位置づけ部材７に対しては、調節装置１１が、位置づけ部材７の片末端に強固に接続されかつ折りたたみユニット１のフレーム５に固定されたリニア電気モーター１３の可動部分に対して、反対の末端に強固に接続されたダブルＬ型の支持部材１２を含んでいる。より具体的には、調節装置１１は、折りたたみユニット１のフレーム５にボルト止めをされ、かつ３個のリニア電気モーター１３を収める３つのシート（詳細には図示していない）を持っている実質的に台形の支持体１４を含んでいる。
【００２３】
図３に示すように、各位置づけ部材７は、伸ばされかつ円筒形状をしており、かつ折りたたみユニット１のフレーム５中の各穴１５中に、スライドして挿入される支持部材１２に強固に接続された第１末端と第１末端と反対側の第２末端を持っている。
【００２４】
したがって、調節装置１１は、他の１対の位置づけ部材７の位置とは独立して、各１対の位置づけ部材７の位置の調節を行う。図示されていない別の実施の態様では、調節装置１１は、単一のリニア電気モーター１３からなり、すべての１対の位置づけ部材７の位置の調節を行う。
【００２５】
調節装置１１は、折りたたみユニット１の動作速度（すなわち、折りたたみ台４の動作速度）を周期的に求めるためのセンサー装置１６に接続され、折りたたみユニット１の動作速度の関数として、クーポン券２の供給経路に沿って、各１対の位置づけ部材７の位置を調節する。好ましい実施の態様では、調節装置１１は、調節表を納めるために設けられているメモリ１７を含み、それは、折りたたみユニット１の各動作速度値に対して、調節手段１１に、各１対の位置づけ部材７の対応する位置値を供給する。
【００２６】
さらなる実施の態様では、調節装置１１は、折りたたみ台４から下流に置かれかつ各クーポン券２の少なくとも１つの折りたたみライン３の位置を求めるための検出装置１８を含み、その結果、調節装置１１は、少なくとも１つの折りたたみライン３の位置の関数として、クーポン券２の供給経路に沿って、１対の位置づけ部材７の位置の調節を行う。検出手段１８は、好ましくは、光学的であり、折りたたまれたクーポン券２を分析することにより、間接的に折りたたみライン３の位置を求める。より具体的には、検出装置１８は、折りたたまれたクーポン券２のサイズの関数および／あるいは折りたたまれたクーポン券２の自由部分の重なり程度の関数として、折りたたみライン３の位置を求める。
【００２７】
種々の別の実施の態様では、調節装置１１は、各１対の位置づけ部材７の位置を、折りたたみユニット１の各動作速度の関数として、あるいは折りたたみライン３の位置の関数として、あるいは折りたたみユニット１の各動作速度および折りたたみライン３の位置の両方の関数として、調節を行う。
【００２８】
好ましくは、折りたたみユニット１から上流では、巻き戻し装置（図示していない）が、リール（図示していない）から平坦なストリップを巻き戻すために設けられ、またカット台（図示していない）が、ストリップの移動方向を横切っているカットラインに沿って、平坦なストリップを切り取り、後続するクーポン券２中に設けられ、その後、折りたたみユニット１に供給される。折りたたみユニット１から下流では、少なくとも１つのグリップヘッド（図示していない）は、包装搬送機（図示していない）上のシート内へおよびシート内の包装材料（図示していない）上へ、各折りたたまれたクーポン券２を供給するために設けられている。第１モーター（図示していない）は、リールから平坦なストリップを、実質的に一定の速度で連続的に巻き戻すために設けられ、また第２モーター（図示していない）は、ストリップをカット台工程に供給するために設けられている。補償装置（図示していない）が、カット台から上流で可変長さのループを形成させるために、第１モーターと第２モーターのあいだに押し付けられ、その結果ストリップの速度は、カット台で周期的にゼロになり、ストリップを、工程中のカット台へ供給可能にしている。
【００２９】
以上記載したように、折りたたみユニット１は、多くの利点すなわち、それはコンパクトであり、安価であり製造しやすく、高速で作動できるし、広い範囲の作動速度内（実質的には、ゼロから通常速度）で良質な折りたたみを提供する。換言すれば、記述したように折りたたみユニット１は、すべての可能な動作速度で、巧く作動し、したがって、安全に連続的に変更できる。
【００３０】
その数多くの利点を考慮して、記述したように折りたたみユニット１は、タバコ以外の包装製品用の自動機械に対して、あるいは製品包装目的以外用の自動機械に対して、利点を与えるためにも使用しても良い。
【図面の簡単な説明】
【００３１】
【図１】本発明のクーポン券折りたたみユニットの透視概略図である。
【図２】図１のクーポン券折りたたみユニットの斜視図である。
【図３】図１のクーポン券折りたたみユニットを明確化にするために除去された部分を用いた正面図である。
【図４】平坦なクーポン券の斜視図である。
【図５】折りたたまれたクーポン券の斜視図である。
【符号の説明】
【００３２】
１  ユニット
２  クーポン券
３  ライン
４  たたみ台
６  ローラー
７  位置づけ部材
９  引き込み部材
１０  ベルト
１１  調節装置
１２  支持部材
１３  電気モーター
１４  支持体
１５  穴
１６  センサー装置
１７  メモリ
１８  検出装置
【図１】
2006008253.tif 000003
【図２】
2006008253.tif 000004
【図３】
2006008253.tif 000005
【図４】
2006008253.tif 000006
【図５】
2006008253.tif 000007